(57)【要約】【課題】携帯電話端末が接続された段階で、ネットワーク端末のインターネット接続を可能にしたダイヤルアップルータを提供する。【解決手段】ダイヤルアップルータ１は、携帯電話端末４を介して、ＩＳＰに対して回線の接続を行い、ＤＮＳのＩＰアドレスを含んだアドレス情報を取得するＰＰＰ接続手段１２と、アドレス情報を記憶するアドレス記憶手段１３と、ネットワーク端末５から要求された更新依頼に対して、ＬＡＮ側のＩＰアドレスの範囲から未使用のアドレスを割り当てて、有効期限を示すＩＰアドレス割り当て時間とともにネットワーク端末５に配信するＩＰアドレス割り当て手段１４と、を備え、ＩＰアドレス割り当て手段１４は、アドレス記憶手段１３にＤＮＳサーバのＩＰアドレスが記憶されていない場合に、ＩＰアドレス割り当て時間を短い時間に設定してネットワーク端末５に配信することを特徴とする。【選択図】図２
2009089208.tif 000002
【特許請求の範囲】
【請求項１】
携帯電話端末を接続するためのＷＡＮ側接続ポートと、ネットワーク端末を接続するためのＬＡＮ側接続ポートとを備え、ダイヤルアップ接続により、前記ネットワーク端末を、インターネット網に接続するダイヤルアップルータにおいて、
前記ＷＡＮ側接続ポートに接続された前記携帯電話端末を介して、予め定めたインターネットサービスプロバイダに対して回線の接続を行い、ＤＮＳサーバのＩＰアドレスを含んだアドレス情報を取得するＰＰＰ接続手段と、
このＰＰＰ接続手段で取得したアドレス情報を記憶するアドレス記憶手段と、
前記ＬＡＮ側接続ポートに接続された前記ネットワーク端末から要求されたＩＰアドレスの要求を含んだ更新依頼要求に対して、予め定めたＬＡＮ側のＩＰアドレスの範囲から、未使用のＩＰアドレスを割り当てて、当該ＩＰアドレスの有効期限を示すＩＰアドレス割り当て時間とともに前記ネットワーク端末に配信するＩＰアドレス割り当て手段と、を備え、
前記ＩＰアドレス割り当て手段は、前記アドレス記憶手段に前記ＤＮＳサーバのＩＰアドレスが記憶されていない場合に、前記ＩＰアドレス割り当て時間を、前記ＤＮＳサーバのＩＰアドレスが記憶されている場合に比べて短い時間に設定して前記ネットワーク端末に配信することを特徴とするダイヤルアップルータ。
【請求項２】
前記ＷＡＮ側接続ポートの電圧変化に基づいて、前記携帯電話端末の前記ＷＡＮ側接続ポートへの接続を検出する接続検出手段をさらに備え、
前記ＰＰＰ接続手段が、前記接続検出手段によって前記携帯電話端末の接続を検出した段階で、前記インターネットサービスプロバイダに対して接続の要求を行うことを特徴とする請求項１に記載のダイヤルアップルータ。
【請求項３】
前記接続検出手段は、前記ＷＡＮ側接続ポートの電圧変化に基づいて、前記携帯電話端末の前記ＷＡＮ側接続ポートからの切断を検出する機能を有し、
前記ＰＰＰ接続手段が、前記接続検出手段によって前記携帯電話端末の前記ＷＡＮ側接続ポートへの接続後に前記携帯電話端末の切断を検出した段階で、前記アドレス記憶手段に記憶されているアドレス情報を初期化することを特徴とする請求項２に記載のダイヤルアップルータ。
【請求項４】
携帯電話端末を接続するためのＷＡＮ側接続ポートと、ネットワーク端末を接続するためのＬＡＮ側接続ポートとを備え、ダイヤルアップ接続により、前記ネットワーク端末を、インターネット網に接続するために、ダイヤルアップルータのコンピュータを、
前記ＷＡＮ側接続ポートに接続された前記携帯電話端末を介して、予め定めたインターネットサービスプロバイダに対して回線の接続を行い、ＤＮＳサーバのＩＰアドレスを含んだアドレス情報を取得して、アドレス記憶手段に記憶させるＰＰＰ接続手段、
前記ＬＡＮ側接続ポートに接続された前記ネットワーク端末から要求されたＩＰアドレスの要求を含んだ更新依頼要求に対して、予め定めたＬＡＮ側のＩＰアドレスの範囲から、未使用のＩＰアドレスを割り当てて、当該ＩＰアドレスの有効期限を示すＩＰアドレス割り当て時間とともに前記ネットワーク端末に配信するＩＰアドレス割り当て手段、
として機能させ、
前記ＩＰアドレス割り当て手段は、前記アドレス記憶手段に前記ＤＮＳサーバのＩＰアドレスが記憶されていない場合に、前記ＩＰアドレス割り当て時間を、前記ＤＮＳサーバのＩＰアドレスが記憶されている場合に比べて短い時間に設定して前記ネットワーク端末に配信することを特徴とするダイヤルアップルータ制御プログラム。
【発明の詳細な説明】
【技術分野】
【０００１】
本発明は、携帯電話端末を利用してインターネット接続を行うためのダイヤルアップルータおよびその制御プログラムに関する。
【背景技術】
【０００２】
インターネット接続された任意のインターネット機器とインターネットプロトコル（ＩＰ：Internet Protocol）により通信を行う場合、通信先のインターネット機器のホスト名およびドメイン名からなるＵＲＬ（Uniform Resource Locator）を、数値で表される実際のアドレスに変換するために、ＤＮＳ（Domain Name System）サーバを参照することが一般的である。
【０００３】
また、ＤＮＳサーバを参照するには、接続するネットワークに固有のＤＮＳサーバのＩＰアドレスを取得する必要があるが、その手法として、ＤＨＣＰ（Dynamic Host Configuration Protocol）サーバを利用する方法がある。
【０００４】
通常、ＤＨＣＰサーバには、ＤＮＳサーバのＩＰアドレスや、クライアントに割り当ててもよいＩＰアドレスの範囲が設定されている。この場合、図８に示すように、ＤＮＳサーバのＩＰアドレス等の取得を希望するＤＨＣＰクライアント（機器Ｂ）が、ＤＨＣＰサーバ（機器Ａ）に対し、更新依頼（情報の要求）を行う（Ｓ１０）ことで、機器Ａが、機器ＢにＤＮＳサーバのＩＰアドレス等を配信する（Ｓ１１）。
【０００５】
また、このようなインターネット接続を一般家庭内で行う場合、すなわち、家庭内のインターネット機器をインターネット接続する場合、しばしばダイヤルアップルータが用いられる（例えば、特許文献１等参照）。この場合、図９に示すように、ダイヤルアップルータは、起動時に、インターネットサービスプロバイダ（ＩＳＰ：Internet Services Provider）にＰＰＰ（Point to Point Protocol）接続の依頼（接続依頼）を行う（Ｓ２０）。そして、ＩＳＰがＤＮＳサーバのＩＰアドレスをダイヤルアップルータに配信する（Ｓ２１）。その後、ダイヤルアップルータは、ダイヤルアップルータ内のＤＨＣＰサーバによって、家庭内のインターネット機器（ＬＡＮ側機器）からの更新依頼（Ｓ２２）に対して、ＤＮＳサーバのＩＰアドレス等を配信する（Ｓ２３）。
【０００６】
このとき、ダイヤルアップルータはインターネット網と常時接続され、ダイヤルアップルータは、ＰＰＰ接続時に取得したＤＮＳサーバのＩＰアドレスを保持しておき、随時接続されるＬＡＮ側機器の更新依頼に応じてＤＮＳサーバのＩＰアドレスを配信する。
【０００７】
一方、最近では、デジタルテレビ受信機等の家庭内機器が、インターネットを介して情報の送受信を行う機能を有するようになってきた。しかし、このような家庭内機器の多くは、ＩＳＰとの間で常時接続の環境が整っていないのが現状である。このような環境においては、携帯電話端末をインターネット接続手段として用いることが簡便であり、日ごろ持ち歩いている携帯電話端末を、在宅時にのみダイヤルアップルータに接続し、インターネット網へ接続する手段として利用する技術が開発されている（非特許文献１参照）。
【特許文献１】特開２００３−２７３８９２号公報
【非特許文献１】“無線ＬＡＮルータ（ＣＱＷ−ＨＰＭＭ−ＥＲ）”、［online］、平成１９年１月２６日、プラネックスコミュニケーションズ株式会社、［平成１９年９月１８日検索］、インターネット＜URL:http://www.planex.co.jp/release/pdf/20070126_cqw-hpmm-er.pdf＞
【発明の開示】
【発明が解決しようとする課題】
【０００８】
しかし、携帯電話端末をインターネット網へ接続する手段として利用する場合、例えば、外出時に携帯電話端末をダイヤルアップルータから外し、帰宅時に携帯電話端末をダイヤルアップルータに接続するといった携帯電話端末の着脱が行われる。この場合、携帯電話端末のダイヤルアップルータへの接続のタイミングと、ＬＡＮ側機器のインターネット接続のタイミングとの前後関係によっては、インターネット接続ができないという問題が発生する。
【０００９】
例えば、図１０に示すように、携帯電話端末がダイヤルアップルータに接続されていない段階で、ＬＡＮ側機器がダイヤルアップルータに接続された場合、ダイヤルアップルータは、ＤＮＳサーバのＩＰアドレスを取得していないため、ＬＡＮ側機器からの更新依頼（Ｓ３０）に対して、ＩＰアドレスの情報を含まない応答が配信されることになる（Ｓ３１）。その後、携帯電話端末がダイヤルアップルータに接続された場合、ダイヤルアップルータは、接続を検知したタイミングあるいは所定期間でＩＳＰにＰＰＰ接続の依頼（接続依頼）を行うことで（Ｓ３２）、ＤＮＳサーバのＩＰアドレスを取得する（Ｓ３３）。この場合、ダイヤルアップルータは、ＬＡＮ側機器からの更新依頼がない限り、ＤＮＳサーバのＩＰアドレス等の情報を配信することができないため、ＬＡＮ側機器は通信不可の状態となり、インターネット接続を行うことができない。
【００１０】
本発明は、以上のような課題を解決するためになされたものであり、携帯電話端末の接続のタイミングによらず、短い待ち時間で、ＬＡＮ側機器がインターネット接続を行うことを可能にしたダイヤルアップルータおよびその制御プログラムを提供することを目的とする。
【課題を解決するための手段】
【００１１】
本発明は、前記目的を達成するために創案されたものであり、まず、請求項１に記載のダイヤルアップルータは、携帯電話端末を接続するためのＷＡＮ側接続ポートと、ネットワーク端末を接続するためのＬＡＮ側接続ポートとを備え、ダイヤルアップ接続により、前記ネットワーク端末を、インターネット網に接続するダイヤルアップルータにおいて、ＰＰＰ接続手段と、ＰＰＰ接続手段で取得したＤＮＳサーバのＩＰアドレスを含んだアドレス情報を記憶するアドレス記憶手段と、ＩＰアドレス割り当て手段と、を備え、前記ＩＰアドレス割り当て手段は、前記アドレス記憶手段に前記ＤＮＳサーバのＩＰアドレスが記憶されていない場合に、ＩＰアドレス割り当て時間を、前記ＤＮＳサーバのＩＰアドレスが記憶されている場合に比べて短い時間に設定して前記ネットワーク端末に配信する構成とした。
【００１２】
かかる構成において、ダイヤルアップルータは、ＰＰＰ接続手段によって、ＷＡＮ側接続ポートに接続された携帯電話端末を介して、予め定めたインターネットサービスプロバイダに対して回線の接続（ＰＰＰ接続）を行い、ＤＮＳサーバのＩＰアドレスを含んだアドレス情報を取得する。そして、ダイヤルアップルータは、アドレス記憶手段にアドレス情報を記憶する。これによって、ネットワーク端末がインターネット接続を行うために必要なアドレス情報が、ダイヤルアップルータ内に保持される。
【００１３】
そして、ダイヤルアップルータは、ＩＰアドレス割り当て手段によって、ＬＡＮ側接続ポートに接続されたネットワーク端末から要求されたＩＰアドレスの要求を含んだ更新依頼要求に対して、予め定めたＬＡＮ側のＩＰアドレスの範囲から、未使用のＩＰアドレスを割り当てて、当該ＩＰアドレスの有効期限を示すＩＰアドレス割り当て時間とともにネットワーク端末に配信する。
【００１４】
なお、ＰＰＰ接続と、ネットワーク端末からの更新依頼とは、非同期処理である。そこで、ダイヤルアップルータは、ＩＰアドレス割り当て手段によって、アドレス記憶手段にＤＮＳサーバのＩＰアドレスが記憶されている場合には、ＩＰアドレスの有効期限であるＩＰ割り当て時間を長い時間（例えば、１日〜数日程度）に設定し、ＩＰアドレスが記憶されていない場合には、ＩＰアドレス割り当て時間を、短い時間（例えば、１分〜数分程度）に設定してネットワーク端末に配信する。これによって、ＰＰＰ接続が完了していない状態においては、ネットワーク端末が短い間隔で、更新依頼要求をダイヤルアップルータに要求することになり、ＰＰＰ接続が完了している状態においては、ネットワーク端末が長い間隔で、更新依頼要求をダイヤルアップルータに要求することになる。
【００１５】
また、請求項２に記載のダイヤルアップルータは、請求項１に記載のダイヤルアップルータにおいて、前記ＷＡＮ側接続ポートの電圧変化に基づいて、前記携帯電話端末の前記ＷＡＮ側接続ポートへの接続を検出する接続検出手段をさらに備え、前記ＰＰＰ接続手段が、前記接続検出手段によって前記携帯電話端末の接続を検出した段階で、前記インターネットサービスプロバイダに対して接続の要求を行う構成とした。
【００１６】
かかる構成において、ダイヤルアップルータは、接続検出手段で携帯電話端末の接続を検出した段階で、ＰＰＰ接続手段によってＰＰＰ接続を開始する。これによって、ダイヤルアップルータは、携帯電話端末の接続を検出した段階で、アドレス情報を取得しインターネット接続環境を整えることができる。
【００１７】
さらに、請求項３に記載のダイヤルアップルータは、請求項２に記載のダイヤルアップルータにおいて、前記接続検出手段が、前記ＷＡＮ側接続ポートの電圧変化に基づいて、前記携帯電話端末の前記ＷＡＮ側接続ポートからの切断を検出する機能を有し、前記ＰＰＰ接続手段が、前記接続検出手段によって前記携帯電話端末の前記ＷＡＮ側接続ポートへの接続後に前記携帯電話端末の切断を検出した段階で、前記アドレス記憶手段に記憶されているアドレス情報を初期化する構成とした。
【００１８】
かかる構成において、ダイヤルアップルータは、携帯電話端末のＷＡＮ側接続ポートへの接続後に携帯電話端末の切断を検出した段階で、アドレス記憶手段に記憶されているアドレス情報を初期化するため、その後に更新依頼要求を行ったネットワーク端末に対して、短いＩＰアドレス割り当て時間を設定することが可能になる。
【００１９】
また、請求項４に記載のダイヤルアップルータは、携帯電話端末を接続するためのＷＡＮ側接続ポートと、ネットワーク端末を接続するためのＬＡＮ側接続ポートとを備え、ダイヤルアップ接続により、前記ネットワーク端末を、インターネット網に接続するために、ダイヤルアップルータのコンピュータを、携帯電話端末を介して、予め定めたインターネットサービスプロバイダに対して回線の接続を行い、ＤＮＳサーバのＩＰアドレスを含んだアドレス情報を取得して、アドレス記憶手段に記憶させるＰＰＰ接続手段、ネットワーク端末から要求されたＩＰアドレスの要求を含んだ更新依頼要求に対して、予め定めたＬＡＮ側のＩＰアドレスの範囲から、未使用のＩＰアドレスを割り当てて、当該ＩＰアドレスの有効期限を示すＩＰアドレス割り当て時間とともに前記ネットワーク端末に配信するＩＰアドレス割り当て手段、として機能させ、前記ＩＰアドレス割り当て手段は、前記アドレス記憶手段に前記ＤＮＳサーバのＩＰアドレスが記憶されていない場合に、ＩＰアドレス割り当て時間を、前記ＤＮＳサーバのＩＰアドレスが記憶されている場合に比べて短い時間に設定して前記ネットワーク端末に配信する構成とした。
【００２０】
かかる構成において、ダイヤルアップルータ制御プログラムは、ＰＰＰ接続手段によって、ＷＡＮ側接続ポートに接続された携帯電話端末を介して、予め定めたインターネットサービスプロバイダに対して回線の接続（ＰＰＰ接続）を行い、ＤＮＳサーバのＩＰアドレスを含んだアドレス情報を取得する。そして、ダイヤルアップルータ制御プログラムは、アドレス記憶手段にアドレス情報を記憶する。
【００２１】
そして、ダイヤルアップルータ制御プログラムは、ＩＰアドレス割り当て手段によって、ＬＡＮ側接続ポートに接続されたネットワーク端末から要求されたＩＰアドレスの要求を含んだ更新依頼要求に対して、予め定めたＬＡＮ側のＩＰアドレスの範囲から、未使用のＩＰアドレスを割り当てて、当該ＩＰアドレスの有効期限を示すＩＰアドレス割り当て時間とともにネットワーク端末に配信する。
【００２２】
なお、ダイヤルアップルータ制御プログラムは、ＩＰアドレス割り当て手段によって、アドレス記憶手段にＤＮＳサーバのＩＰアドレスが記憶されている場合には、ＩＰアドレスの有効期限であるＩＰ割り当て時間を長い時間（例えば、１日〜数日程度）に設定し、ＩＰアドレスが記憶されていない場合には、ＩＰアドレス割り当て時間を、短い時間（例えば、１分〜数分程度）に設定してネットワーク端末に配信する。
【発明の効果】
【００２３】
本発明に係るダイヤルアップルータおよびその制御プログラムによれば、以下のような優れた効果を奏する。
【００２４】
請求項１，４に記載の発明によれば、ダイヤルアップルータは、携帯電話端末が接続されていない場合、ネットワーク端末からの更新依頼に対して、短いＩＰアドレス割り当て時間を設定するため、携帯電話端末が接続されＰＰＰ接続が完了した段階で、ネットワーク端末は、短い待ち時間でインターネット接続を行うことが可能になる。また、本発明によれば、ダイヤルアップルータは、携帯電話端末が接続された状態では、ネットワーク端末からの更新依頼に対して、長いＩＰアドレス割り当て時間を設定するため、ＬＡＮ側のローカルネットワークの負荷を軽減することができる。
【００２５】
請求項２に記載の発明によれば、ダイヤルアップルータは、携帯電話端末が接続されたことを検出することができるため、携帯電話端末が接続された段階で、素早くインターネットに接続するための環境を整えることができる。これによって、ネットワーク端末は、ダイヤルアップルータに携帯電話端末を接続した後、素早くインターネット接続を行うことができる。
【００２６】
請求項３に記載の発明によれば、ダイヤルアップルータは、携帯電話端末を外した段階でアドレス情報を初期化するため、初期化後のネットワーク端末からの更新依頼に対して、短いＩＰアドレス割り当て時間を設定する。これによって、再度、携帯電話端末が接続されＰＰＰ接続が完了した段階で、ネットワーク端末は、短い待ち時間でインターネット接続を行うことが可能になる。
【発明を実施するための最良の形態】
【００２７】
以下、本発明の実施の形態について図面を参照して説明する。
［インターネット接続環境］
まず、図１を参照して、本発明の実施形態に係るダイヤルアップルータを利用したインターネット接続環境について、概要を説明する。図１は、本発明の実施形態に係るダイヤルアップルータを利用したインターネット接続環境を模式的に示した模式図である。
【００２８】
ダイヤルアップルータ１は、携帯電話端末４を用いて、ダイヤルアップ接続により、デジタルテレビ受信機等のネットワーク端末５をインターネット網に接続するものである。図１に示すように、ダイヤルアップルータ１は、宅内において、携帯電話端末４と、ネットワーク端末５（ここでは、デジタルテレビ受信機）を接続する。そして、ダイヤルアップルータ１は、携帯電話端末の通信事業者（図中、基地局８）により、公衆網Ｐを介して、携帯電話端末４からインターネットサービスプロバイダ（以下、ＩＳＰという）７に、ＰＰＰ接続する。これによって、ネットワーク端末５は、携帯電話端末４を介して、インターネット網Ｎに接続が可能になり、例えば、デジタルテレビ受信機は、インターネット網Ｎに接続された放送局６との間で、地上デジタル放送等における双方向サービスを享受することが可能になる。
【００２９】
［ダイヤルアップルータの構成］
次に、図２および図３を参照して、本発明の実施形態に係るダイヤルアップルータの構成について説明する。図２は、本発明の実施形態に係るダイヤルアップルータの外観の一例を示す背面図である。図３は、本発明の実施形態に係るダイヤルアップルータの機能構成を示す機能ブロック図である。ここでは、ダイヤルアップルータ１は、図２に示すように、本体背面部にＵＳＢ（Universal Serial Bus）ポート２と、複数のＬＡＮ（Local Area Network）ポート３（３１、…、３５）とを備えている。なお、ここでは、各ポート２，３を本体背面部に配置しているが、本体正面部等、配置場所について限定されるものではない。
【００３０】
ＵＳＢポート（ＷＡＮ側接続ポート）２は、ＵＳＢケーブルを介して、携帯電話端末４と接続を行うための通信ポートである。なお、ここでは、ＷＡＮ側接続ポートとして、ＵＳＢポートを一例として示しているが、携帯電話端末４と接続可能なケーブルに対応した通信ポートであればよい。
【００３１】
ＬＡＮポート（ＬＡＮ側接続ポート）３は、ＬＡＮケーブルを介して、ネットワーク端末５と接続を行うための通信ポートである。なお、ここでは、ダイヤルアップルータ１は、ＬＡＮポート３を５つ（３１、…、３５）備えた構成を例示しているが、この数はこれに限定されるものではない。また、このＬＡＮポート３は、例えば、１０ＢＡＳＥ−Ｔ、１００ＢＡＳＥ−ＴＸ等の通信規格に準拠した「ＲＪ−４５」のコネクタを有するＬＡＮケーブルが接続可能なものとする。
【００３２】
また、ここでは、図３に示すように、ダイヤルアップルータ１は、ＵＳＢインタフェース制御手段１０と、ＬＡＮインタフェース制御手段１１と、ＰＰＰ接続手段１２と、アドレス記憶手段１３と、ＩＰアドレス割り当て手段１４とを備えている。
【００３３】
ＵＳＢインタフェース制御手段（ＷＡＮ側通信インタフェース手段）１０は、ＵＳＢポート２に接続された携帯電話端末４との間で、データの送受信を行うものである。なお、ＵＳＢインタフェース制御手段１０は、受信したデータでＰＰＰのフレーム構造を有するデータについては、ＰＰＰ接続手段１２にデータを出力し、それ以外のデータについては、ＬＡＮインタフェース制御手段１１に出力する。また、ここでは、ＵＳＢインタフェース制御手段１０は、接続検出手段１０ａを備えている。
【００３４】
接続検出手段１０ａは、ＵＳＢケーブルを介して、ＵＳＢポート２の電圧変換に基づいて、携帯電話端末４がＵＳＢポート２に接続された、あるいは、切断されたことを検出するものである。この接続検出手段１０ａは、例えば、ＵＳＢケーブルの「Ｄ＋端子」または「Ｄ−端子」のいずれかが所定の電圧（３．３Ｖ）となったことを検出することで、携帯電話端末４が接続されたことを検出する。また、接続検出手段１０ａは、その電圧が元のレベルに戻ったことを検出することで、携帯電話端末４が切断されたことを検出する。なお、接続検出手段１０ａは、携帯電話端末４の接続を検出した場合、ＩＰアドレス割り当て手段１４にその旨を通知する。また、接続検出手段１０ａは、携帯電話端末４の切断を検出した場合、ＰＰＰ接続手段１２にその旨を通知する。
【００３５】
ＬＡＮインタフェース制御手段（ＬＡＮ側通信インタフェース手段）１１は、ＬＡＮケーブルを介してＬＡＮポート３に接続されたネットワーク端末５との間で、データの送受信を行うものである。なお、ＬＡＮインタフェース制御手段１１は、受信したデータのうちでＤＨＣＰメッセージについては、ＩＰアドレス割り当て手段１４にデータを出力し、それ以外のデータについては、ＵＳＢインタフェース制御手段１０に出力する。なお、このＬＡＮインタフェース制御手段１１は、１０ＢＡＳＥ−Ｔ等、一般的なＬＡＮプロトコルにより、ネットワーク端末５との間で、ＩＰパケットによりデータの送受信を行う。
【００３６】
ＰＰＰ接続手段（ＰＰＰクライアント）１２は、ＵＳＢポート２に接続された携帯電話端末４を介して、予め定めたＩＳＰに対して回線の接続（ＰＰＰ接続）を行うものである。このＰＰＰ接続手段１２は、ＰＰＰクライアントとして機能し、ＩＳＰとの接続時に、ＩＳＰから、ドメインネームサーバ（以下、ＤＮＳサーバという）のＩＰアドレスを含んだアドレス情報を取得する。このアドレス情報には、ＤＮＳサーバのＩＰアドレス以外に、ＩＳＰから当該ダイヤルアップルータ１のＷＡＮ側のＩＰアドレス等が含まれている。また、ＰＰＰ接続手段１２は、取得したアドレス情報をアドレス記憶手段１３に記憶する。
【００３７】
また、ここでは、ＰＰＰ接続手段１２は、ＩＰアドレス割り当て手段１４からの接続開始指示に基づいて、ＩＳＰに対してＰＰＰ接続を開始することとする。これによって、ＰＰＰ接続手段１２は、携帯電話端末４が、ＵＳＢポート２に接続された段階で、ＰＰＰ接続が行われることになる。なお、ＰＰＰ接続手段１２は、所定時間単位で、ＰＰＰ接続を開始することとしてもよいが、携帯電話端末４が接続された段階でＰＰＰ接続を開始した方が、素早くＰＰＰ接続を確立することができるため、より好ましいといえる。
【００３８】
また、ＰＰＰ接続手段１２は、ＵＳＢインタフェース制御手段１０の接続検出手段１０ａから、ＵＳＢポート２に接続された携帯電話端末４が切断されたことを通知された段階で、アドレス記憶手段１３に記憶されているアドレス情報を初期化することとする。これによって、ＰＰＰ接続手段１２は、携帯電話端末４が接続されていない状態において、ＰＰＰ接続が完了していない状態に戻すことができる。
【００３９】
アドレス記憶手段１３は、ＰＰＰ接続手段１２で取得したアドレス情報を記憶するものであって、半導体メモリ等の一般的な記憶手段である。なお、アドレス記憶手段１３は、起動時に初期化されるものとする。このアドレス記憶手段１３にＤＮＳサーバのＩＰアドレス等のアドレス情報が記憶されることで、ＰＰＰ接続が完了したことになる。
【００４０】
ＩＰアドレス割り当て手段（ＤＨＣＰサーバ）１４は、ＬＡＮポート３に接続されたネットワーク端末５から要求されたＩＰアドレスの要求を含んだ更新依頼要求に対して、予め定めたＬＡＮ側のＩＰアドレスの範囲から、未使用のＩＰアドレスを割り当てて、当該ＩＰアドレスの有効期限を示すＩＰアドレス割り当て時間とともにネットワーク端末５に配信するものである。このＩＰアドレス割り当て手段１４は、ＤＨＣＰサーバとして機能する。なお、ＩＰアドレス割り当て手段１４は、予めＬＡＮ側のローカルなＩＰアドレスの範囲をアドレス記憶手段１３に設定しておき、要求のあったネットワーク端末５に対して、順次未使用のＩＰアドレスを割り当てる。
【００４１】
また、ＩＰアドレス割り当て手段１４は、ネットワーク端末５に対するＩＰアドレス以外に、アドレス記憶手段１３に記憶されているＤＮＳサーバのＩＰアドレス、ＬＡＮ側ネットワークのサブネットマスク、デフォルトゲートウェイ等の情報も合わせて、ネットワーク端末５に配信する。このとき、ＩＰアドレス割り当て手段１４は、アドレス記憶手段１３にＤＮＳサーバのＩＰアドレスが記憶されている場合、ＩＰアドレス割り当て時間を長くし、ＤＮＳサーバのＩＰアドレスが記憶されていない場合、記憶されている場合に比べてＩＰアドレス割り当て時間を短くする。例えば、アドレス記憶手段１３にＤＮＳサーバのＩＰアドレスが記憶されている場合、ＩＰアドレス割り当て時間を１日〜数日程度とし、記憶されていない場合、ＩＰアドレス割り当て時間を１分〜数分程度と設定する。
【００４２】
なお、ＩＰアドレス割り当て手段１４は、更新依頼である「ＤＨＣＰ要求（ＤＨＣＰＲＥＱＵＥＳＴ）」を、ＤＮＳサーバのＩＰアドレス等の取得を希望するネットワーク端末５（ＤＨＣＰクライアント）からの取得し、その応答となる「ＤＨＣＰ応答（ＤＨＣＰＡＣＫ）」に、ＩＰアドレス割り当て時間を設定する。
【００４３】
具体的には、ＩＰアドレス割り当て手段１４は、図４に示した「ＤＨＣＰＡＣＫ」のデータフォーマットにおいて、オプション（‘ｏｐｔｉｏｎ’）として規定されている、「ＩＰアドレスリース時間（ＩＰ  ａｄｄｒｅｓｓ  ｌｅａｓｅ  ｔｉｍｅ）」の領域に、ＩＰアドレス割り当て時間を設定する。これによって、ネットワーク端末５は、このＩＰアドレス割り当て時間経過までに、再度、更新依頼を行うことになる。
【００４４】
以上、ダイヤルアップルータ１の構成について説明したが、ダイヤルアップルータ１は、図示を省略したＣＰＵ、メモリ等を搭載した一般的なコンピュータで実現することができる。このとき、ダイヤルアップルータ１は、コンピュータを前記した各手段として機能させるダイヤルアップルータ制御プログラムによって動作する。
【００４５】
以上説明したようにダイヤルアップルータ１を構成することで、ダイヤルアップルータ１は、携帯電話端末４が未接続でＤＮＳサーバのＩＰアドレスが取得されていない状態においては、ネットワーク端末５からの更新依頼に対して、ＩＰアドレス割り当て時間を短く設定した応答を返すことで、ネットワーク端末５が、短時間で更新依頼を行うことになる。これによって、携帯電話端末４が接続され、ＤＮＳサーバのＩＰアドレスが取得された際に、ネットワーク端末５は、短時間で、ＤＮＳサーバのＩＰアドレスを取得し、インターネット接続が可能になる。
【００４６】
また、ダイヤルアップルータ１は、携帯電話端末４が接続されＤＮＳサーバのＩＰアドレスが取得された状態においては、ネットワーク端末５からの更新依頼に対して、ＩＰアドレス割り当て時間を長く設定した応答を返すため、ＬＡＮ側のネットワークにおいて、更新依頼が頻繁に発生しないため、ネットワーク負荷が軽減されることになる。
【００４７】
［ダイヤルアップルータの動作］
次に、図５および図６を参照して、本発明の実施形態に係るダイヤルアップルータの動作について説明する。図５は、本発明の実施形態に係るダイヤルアップルータのＰＰＰ接続時の動作を示すフローチャートである。図６は、本発明の実施形態に係るダイヤルアップルータのネットワーク端末に対するアドレス割り当て動作を示すフローチャートである。なお、図５に示したＰＰＰ接続動作と、図６に示したアドレス割り当て動作とは、それぞれ独立して動作するものである。
【００４８】
（ＰＰＰ接続動作）
最初に、図５を参照（構成については適宜図３参照）して、ダイヤルアップルータ１のＰＰＰ接続時の動作について説明する。
【００４９】
まず、ダイヤルアップルータ１は、ＵＳＢインタフェース制御手段１０の接続検出手段１０ａによって、ＵＳＢポート２の電圧変換に基づいて、携帯電話端末４がＵＳＢポート２に接続されたか否かを判定する（ステップＳ１）。携帯電話端末４が接続されていない状態では（ステップＳ１でＮｏ）、接続検出手段１０ａは、適宜ポーリング等によって、携帯電話端末４の接続を検出し続ける。
【００５０】
一方、携帯電話端末４が接続されたことを検出した場合（ステップＳ１でＹｅｓ）、ダイヤルアップルータ１は、ＰＰＰ接続手段１２によって、携帯電話端末４を介して、予め定めたＩＳＰに対して回線の接続（ＰＰＰ接続）を依頼する（ステップＳ２）。そして、ダイヤルアップルータ１は、ＰＰＰ接続手段１２によって、ＩＳＰから、ＤＮＳサーバのＩＰアドレスを含んだアドレス情報を取得する（ステップＳ３）。そして、ダイヤルアップルータ１は、ＰＰＰ接続手段１２によって、ステップＳ３で取得したアドレス情報をアドレス記憶手段１３に記憶する（ステップＳ４）。
【００５１】
以上の動作によって、ダイヤルアップルータ１は、携帯電話端末４を接続された段階で、ＩＳＰとＰＰＰ接続を行い、インターネット接続に必要なＤＮＳサーバのＩＰアドレスを含んだアドレス情報を、アドレス記憶手段１３に記憶する。
【００５２】
（アドレス割り当て動作）
次に、図６を参照（構成については適宜図３参照）して、ダイヤルアップルータ１のネットワーク端末５に対するアドレス割り当て動作について説明する。
【００５３】
まず、ダイヤルアップルータ１は、ＩＰアドレス割り当て手段１４によって、ＬＡＮインタフェース制御手段１１が受信したネットワーク端末５から送信されたデータ（ＩＰパケット）が、更新依頼の要求「ＤＨＣＰ要求（ＤＨＣＰＲＥＱＵＥＳＴ）」であるか否かを判定する（ステップＳ５）。更新依頼の要求を受信しない間（ステップＳ５でＮｏ）、ＩＰアドレス割り当て手段１４は待ち状態となる。
【００５４】
一方、更新依頼の要求を受信した場合（ステップＳ５でＹｅｓ）、ダイヤルアップルータ１は、ＩＰアドレス割り当て手段１４によって、アドレス記憶手段１３にＤＮＳサーバのＩＰアドレス等のアドレス情報が記憶されているか否かを判定する（ステップＳ６）。
【００５５】
ここで、アドレス情報が記憶されている場合（ステップＳ６でＹｅｓ）、ダイヤルアップルータ１は、ＩＰアドレス割り当て手段１４によって、ＩＰアドレス割り当て時間を長時間（例えば１日）に設定し、アドレス情報等を設定した「ＤＨＣＰ応答（ＤＨＣＰＡＣＫ）」を生成し（ステップＳ７）、ステップＳ９に動作を進める。一方、アドレス情報が記憶されていない場合（ステップＳ６でＮｏ）、ダイヤルアップルータ１は、ＩＰアドレス割り当て手段１４によって、ＩＰアドレス割り当て時間を短時間（例えば１分）に設定した「ＤＨＣＰ応答（ＤＨＣＰＡＣＫ）」を生成し（ステップＳ８）、ステップＳ９に動作を進める。
【００５６】
そして、ダイヤルアップルータ１は、ＩＰアドレス割り当て手段１４によって、ＬＡＮインタフェース制御手段１１を介して、アドレス情報（ＤＨＣＰ応答）を、ネットワーク端末５に配信する（ステップＳ９）。
【００５７】
以上の動作によって、ダイヤルアップルータ１は、ＤＮＳサーバのＩＰアドレスが取得された状態においては、ネットワーク端末５からの更新依頼に対して、ＩＰアドレス割り当て時間を長く設定した応答を返し、ＤＮＳサーバのＩＰアドレスが取得されていない状態においては、ネットワーク端末５からの更新依頼に対して、ＩＰアドレス割り当て時間を短く設定した応答を返すことになる。
【００５８】
［インターネット接続手順］
ここで、図７を参照（適宜図３参照）して、ダイヤルアップルータ１によって、インターネット接続を行う手順について説明する。図７は、本発明の実施形態に係るダイヤルアップルータにおいて携帯電話端末を利用したインターネット接続の手順を示すシーケンスチャートである。
【００５９】
図７に示すように、ダイヤルアップルータ１は、携帯電話端末４が接続されていない状態で、ＬＡＮ側機器のネットワーク端末５から、更新依頼の要求を受信した場合（ステップＳ４０）、ネットワーク端末５に対し、ＩＰアドレス割り当て時間を短時間（例えば、１分）に設定した「ＤＨＣＰ応答（ＤＨＣＰＡＣＫ）」を配信する（ステップＳ４１）。この場合、ネットワーク端末５は、アドレス情報の取得ができず、インターネット接続を行うことができない、
【００６０】
その後、ネットワーク端末５は、「ＤＨＣＰ応答」に設定されたＩＰアドレス割り当て時間経過後、再度、更新依頼の要求をダイヤルアップルータ１に送信する（ステップＳ４２）。この場合も、図７のシーケンスにおいては、まだ、ダイヤルアップルータ１は、アドレス情報を取得していないため、ＩＰアドレス割り当て時間を短時間に設定した「ＤＨＣＰ応答」を配信する（ステップＳ４３）。
【００６１】
一方、ダイヤルアップルータ１は、携帯電話端末４が接続された段階で、携帯電話端末４を介してＩＳＰにＰＰＰ接続を依頼する（ステップＳ４４）。その後、ＩＳＰは、ＤＮＳサーバのＩＰアドレス等のアドレス情報を配信し（ステップＳ４５）、ダイヤルアップルータ１は、アドレス情報を取得してアドレス記憶手段１３に記憶する。
【００６２】
この段階で、ネットワーク端末５から、更新依頼の要求があった場合（ステップＳ４６）、ダイヤルアップルータ１は、アドレス情報を設定するとともに、ＩＰアドレス割り当て時間を長時間（例えば、１日）に設定した「ＤＨＣＰ応答」を、ネットワーク端末５に配信する（ステップＳ４７）。これ以降、ネットワーク端末５は、インターネット接続を行うことが可能になる。
【００６３】
以上説明したように、本発明の実施形態に係るダイヤルアップルータ１における携帯電話端末４を利用したインターネット接続手順によれば、帰宅時に携帯電話端末４をダイヤルアップルータ１に接続した後、短時間で、ネットワーク端末５がＤＮＳサーバのＩＰアドレスを取得することができ、素早くインターネット接続を行うことができる。
【図面の簡単な説明】
【００６４】
【図１】本発明の実施形態に係るダイヤルアップルータを利用したインターネット接続環境を模式的に示した模式図である。
【図２】本発明の実施形態に係るダイヤルアップルータの外観の一例を示す背面図である。
【図３】本発明の実施形態に係るダイヤルアップルータの機能構成を示す機能ブロック図である。
【図４】ＤＨＣＰＡＣＫのデータフォーマットを示すデータ構造図である。
【図５】本発明の実施形態に係るダイヤルアップルータのＰＰＰ接続時の動作を示すフローチャートである。
【図６】本発明の実施形態に係るダイヤルアップルータのネットワーク端末に対するアドレス割り当て動作を示すフローチャートである。
【図７】本発明の実施形態に係るダイヤルアップルータにおいて携帯電話端末を利用したインターネット接続の手順を示すシーケンスチャートである。
【図８】ＤＨＣＰの基本パターンを示すシーケンスチャートである。
【図９】従来のダイヤルアップルータを用いたインターネット接続の手順を示すシーケンスチャートである。
【図１０】従来のダイヤルアップルータにおいて携帯電話端末を利用したインターネット接続の手順を示すシーケンスチャートである。
【符号の説明】
【００６５】
１      ダイヤルアップルータ
２      ＵＳＢポート（ＷＡＮ側接続ポート）
３      ＬＡＮポート（ＬＡＮ側接続ポート）
４      携帯電話端末
５      ネットワーク端末
１０    ＵＳＢインタフェース制御手段
１０ａ  接続検出手段
１１    ＬＡＮインタフェース制御手段
１２    ＰＰＰ接続手段（ＰＰＰクライアント）
１３    アドレス記憶手段
１４    ＩＰアドレス割り当て手段（ＤＨＣＰサーバ）
【図１】
2009089208.tif 000003
【図２】
2009089208.tif 000004
【図３】
2009089208.tif 000005
【図４】
2009089208.tif 000006
【図５】
2009089208.tif 000007
【図６】
2009089208.tif 000008
【図７】
2009089208.tif 000009
【図８】
2009089208.tif 000010
【図９】
2009089208.tif 000011
【図１０】
2009089208.tif 000012